(57)【要約】本発明は、無線通信システムにおいて移動端末とネットワーク間の無線ベアラＲＢ設定方法に関する。前記移動端末は、１つ以上のセルから特定サービスのためのＲＢ情報を受信し、そして、前記受信されたＲＢ情報を保存する。前記移動端末が１つ以上のセルに移動した後において、再び特定セルに移動すると、前記移動端末は、ＲＢ情報を再受信せずに前記特定セルに既に保存されたＲＢ情報を利用して、前記特定サービスのためのＲＢを設定する。【特許請求の範囲】
【請求項１】
セル内でネットワークと通信を接続する段階と、
前記セルに関連した無線ベアラ情報を受信して保存する段階と、
前記セル内で前記ネットワークとの通信を停止する段階と、
前記セル内で前記ネットワークとの通信を再接続する段階と、
前記セル内で前記ネットワークとの通信を再接続すると、前記保存された無線ベアラ情報を利用してサービスのための１対多無線ベアラを設定する段階と、
を含むことを特徴とする無線通信システムにおける移動端末とネットワーク間の無線リンク設定方法。
【請求項２】
前記無線ベアラ情報は、前記セルのＭＢＭＳ制御チャネル（ＭＣＣＨ）で受信されることを特徴とする請求項１に記載の無線通信システムにおける移動端末とネットワーク間の無線リンク設定方法。
【請求項３】
前記無線ベアラ情報を利用して前記サービスのための１対多無線ベアラを設定し、前記ネットワークとの通信を停止する前に前記サービスを受信する段階をさらに含むことを特徴とする請求項１に記載の無線通信システムにおける移動端末とネットワーク間の無線リンク設定方法。
【請求項４】
前記サービスは、１対多サービスを含むことを特徴とする請求項１に記載の無線通信システムにおける移動端末とネットワーク間の無線リンク設定方法。
【請求項５】
前記無線ベアラ情報は、１対多無線ベアラ情報であることを特徴とする請求項１に記載の無線通信システムにおける移動端末とネットワーク間の無線リンク設定方法。
【請求項６】
前記セルのセルＩＤを受信する段階をさらに含むことを特徴とする請求項１に記載の無線通信システムにおける移動端末とネットワーク間の無線リンク設定方法。
【請求項７】
前記セルに関連した前記受信された無線ベアラ情報のタイプを判断する段階をさらに含むことを特徴とする請求項６に記載の無線通信システムにおける移動端末とネットワーク間の無線リンク設定方法。
【請求項８】
前記受信された無線ベアラ情報が１対１無線ベアラ情報であると判断された場合、前記受信された無線ベアラ情報を利用して前記サービスのための１対１無線ベアラを設定する段階と、
前記１対１無線ベアラを利用して前記サービスを受信する段階とをさらに含むことを特徴とする請求項７に記載の無線通信システムにおける移動端末とネットワーク間の無線リンク設定方法。
【請求項９】
前記受信された無線ベアラ情報が１対多無線ベアラ情報であると判断された場合、前記セルのセルＩＤ及び１対多無線ベアラ情報がメモリに保存されているか否かを判断する段階をさらに含むことを特徴とする請求項６に記載の無線通信システムにおける移動端末とネットワーク間の無線リンク設定方法。
【請求項１０】
前記セルのセルＩＤ及び１対多無線ベアラ情報が前記メモリに保存されていると判断された場合、前記１対多無線ベアラ情報を利用して前記サービスのための１対多無線ベアラを設定する段階と、
前記１対多無線ベアラを利用して前記サービスを受信する段階とをさらに含むことを特徴とする請求項９に記載の無線通信システムにおける移動端末とネットワーク間の無線リンク設定方法。
【請求項１１】
前記セルＩＤ又は前記１対多無線ベアラ情報が前記メモリに保存されていないと判断された場合、前記メモリに前記セルＩＤ及び前記受信された無線ベアラ情報を保存する段階と、
前記受信された無線ベアラ情報を利用して前記サービスのための１対多無線ベアラを設定する段階と、
前記１対多無線ベアラを利用して前記サービスを受信する段階とをさらに含むことを特徴とする請求項９に記載の無線通信システムにおける移動端末とネットワーク間の無線リンク設定方法。
【請求項１２】
サービスのアップデート情報を受信する段階と、
前記セルのセルＩＤ及び１対多無線ベアラ情報がメモリに保存されているか否かを判断する段階とをさらに含むことを特徴とする請求項６に記載の無線通信システムにおける移動端末とネットワーク間の無線リンク設定方法。
【請求項１３】
前記アップデート情報は、前記セルのＭＢＭＳ制御チャネル（ＭＣＣＨ）で受信されることを特徴とする請求項１２に記載の無線通信システムにおける移動端末とネットワーク間の無線リンク設定方法。
【請求項１４】
前記セルＩＤ及び前記１対多無線ベアラ情報が前記メモリに保存されていると判断された場合、前記セルに関連した１対多無線ベアラの現在のアップデート情報を受信する段階と、
前記１対多無線ベアラの現在のアップデート情報と前記１対多無線ベアラの保存されたアップデート情報とを比較する段階と、
前記１対多無線ベアラの現在のアップデート情報と前記１対多無線ベアラの保存されたアップデート情報が一致する場合、前記保存された１対多無線ベアラ情報を利用して前記サービスのための１対多無線ベアラを設定する段階と、
前記１対多無線ベアラを利用して前記サービスを受信する段階とをさらに含むことを特徴とする請求項１２に記載の無線通信システムにおける移動端末とネットワーク間の無線リンク設定方法。
【請求項１５】
前記セルＩＤ又は前記１対多無線ベアラ情報が前記メモリに予め保存されていないと判断された場合、前記受信されたアップデート情報と既に保存されたアップデート情報とを比較する段階と、
前記受信されたアップデート情報が前記保存されたアップデート情報と異なる場合、前記セルに関連した現在の１対多無線ベアラ情報を受信する段階とをさらに含むことを特徴とする請求項１２に記載の無線通信システムにおける移動端末とネットワーク間の無線リンク設定方法。
【請求項１６】
前記メモリに前記セルＩＤ、前記現在の１対多無線ベアラ情報、及び前記受信されたアップデート情報を保存する段階と、
前記現在の１対多無線ベアラ情報を利用して前記サービスのための１対多無線ベアラを設定する段階と、
前記１対多無線ベアラを利用して前記サービスを受信する段階とをさらに含むことを特徴とする請求項１５に記載の無線通信システムにおける移動端末とネットワーク間の無線リンク設定方法。
【請求項１７】
前記セルに関連した無線ベアラ情報を保存する段階は、
保存される無線ベアラ情報アイテムの数が移動端末パラメータの閾値を超過するか否かを判断する段階と、
保存される無線ベアラ情報アイテムの数が移動端末パラメータの閾値を超過する場合、既に保存された無線ベアラ情報アイテムを削除して前記無線ベアラ情報を保存する段階と、
保存される無線ベアラ情報アイテムの数が移動端末パラメータの閾値を超過しない場合、前記無線ベアラ情報を保存する段階とをさらに含むことを特徴とする請求項１に記載の無線通信システムにおける移動端末とネットワーク間の無線リンク設定方法。
【請求項１８】
前記移動端末の閾値は、前記ネットワークにより決定されることを特徴とする請求項１７に記載の無線通信システムにおける移動端末とネットワーク間の無線リンク設定方法。
【請求項１９】
前記移動端末パラメータの閾値は、前記移動端末により決定されることを特徴とする請求項１７に記載の無線通信システムにおける移動端末とネットワーク間の無線リンク設定方法。
【請求項２０】
既に保存された無線ベアラ情報アイテムを削除する段階は、
現在前記移動端末が位置するセルから最も遠いセルの無線ベアラ情報アイテムを削除する段階を含むことを特徴とする請求項１７に記載の無線通信システムにおける移動端末とネットワーク間の無線リンク設定方法。
【請求項２１】
既に保存された無線ベアラ情報アイテムを削除する段階は、
前記保存された無線ベアラ情報アイテムのうち最古の無線ベアラ情報アイテムを削除する段階を含むことを特徴とする請求項１７に記載の無線通信システムにおける移動端末とネットワーク間の無線リンク設定方法。
【請求項２２】
特定セッションが終了すると、前記サービスの特定セッション中に前記サービスのために保存された全ての無線ベアラ情報アイテムを削除する段階をさらに含むことを特徴とする請求項１に記載の無線通信システムにおける移動端末とネットワーク間の無線リンク設定方法。
【請求項２３】
前記移動端末が前記サービスを非活性化させると、前記サービスの特定セッション中に前記サービスのために保存された全ての無線ベアラ情報アイテムを削除する段階をさらに含むことを特徴とする請求項１に記載の無線通信システムにおける移動端末とネットワーク間の無線リンク設定方法。
【請求項２４】
前記無線ベアラ情報を保存するとき、タイマーを起動する段階と、
前記タイマーが終了すると、前記保存された無線ベアラ情報を削除する段階とをさらに含むことを特徴とする請求項１に記載の無線通信システムにおける移動端末とネットワーク間の無線リンク設定方法。
【請求項２５】
セル内でネットワークと通信を接続する手段と、
前記セルに関連した無線ベアラ情報を受信して保存する手段と、
前記セル内で前記ネットワークと通信を停止する手段と、
前記セル内で前記ネットワークと通信を再接続する手段と、
前記セル内で前記ネットワークと通信を再接続すると、前記保存された無線ベアラ情報を利用してサービスのための１対多無線ベアラを設定する手段を含むことを特徴とする無線通信システムにおける移動端末とネットワーク間の無線リンク設定装置。
【請求項２６】
前記無線ベアラ情報は、前記セルのＭＢＭＳ制御チャネル（ＭＣＣＨ）で受信されることを特徴とする請求項２５に記載の無線通信システムにおける移動端末とネットワーク間の無線リンク設定装置。
【請求項２７】
前記無線ベアラ情報を利用して前記サービスのための１対多無線ベアラを設定し、前記ネットワークとの通信が停止する前に前記サービスを受信する手段をさらに含むことを特徴とする請求項２５に記載の無線通信システムにおける移動端末とネットワーク間の無線リンク設定装置。
【請求項２８】
前記サービスは、１対多サービスを含むことを特徴とする請求項２５に記載の無線通信システムにおける移動端末とネットワーク間の無線リンク設定装置。
【請求項２９】
前記無線ベアラ情報は、１対多無線ベアラ情報であることを特徴とする請求項２５に記載の無線通信システムにおける移動端末とネットワーク間の無線リンク設定装置。
【請求項３０】
前記セルのセルＩＤを受信する手段をさらに含むことを特徴とする請求項２５に記載の無線通信システムにおける移動端末とネットワーク間の無線リンク設定装置。
【請求項３１】
前記セルに関連した前記受信された無線ベアラ情報のタイプを判断する手段をさらに含むことを特徴とする請求項３０に記載の無線通信システムにおける移動端末とネットワーク間の無線リンク設定装置。
【請求項３２】
前記受信された無線ベアラ情報が１対１無線ベアラ情報であると判断された場合、前記受信された無線ベアラ情報を利用して前記サービスのための１対１無線ベアラを設定する手段と、
前記１対１無線ベアラを利用して前記サービスを受信する手段とをさらに含むことを特徴とする請求項３１に記載の無線通信システムにおける移動端末とネットワーク間の無線リンク設定装置。
【請求項３３】
前記受信された無線ベアラ情報が１対多無線ベアラ情報であると判断された場合、前記セルのセルＩＤ及び１対多無線ベアラ情報がメモリに保存されているか否かを判断する手段をさらに含むことを特徴とする請求項３０に記載の無線通信システムにおける移動端末とネットワーク間の無線リンク設定装置。
【請求項３４】
前記セルのセルＩＤ及び１対多無線ベアラ情報が前記メモリに保存されている場合、前記１対多無線ベアラ情報を利用して前記サービスのための１対多無線ベアラを設定する手段をさらに含むことを特徴とする請求項３３に記載の無線通信システムにおける移動端末とネットワーク間の無線リンク設定装置。
【請求項３５】
前記セルのセルＩＤ又は１対多無線ベアラ情報が前記メモリに保存されていない場合、前記セルＩＤ及び前記受信された無線ベアラ情報を前記メモリに保存する手段と、
前記受信された無線ベアラ情報を利用して前記サービスのための１対多無線ベアラを設定する手段とをさらに含むことを特徴とする請求項３３に記載の無線通信システムにおける移動端末とネットワーク間の無線リンク設定装置。
【請求項３６】
サービスのアップデート情報を受信する手段と、
前記セルのセルＩＤ及び１対多無線ベアラ情報がメモリに保存されているか否かを判断する手段とをさらに含むことを特徴とする請求項３０に記載の無線通信システムにおける移動端末とネットワーク間の無線リンク設定装置。
【請求項３７】
前記アップデート情報は、前記セルのＭＢＭＳ制御チャネル（ＭＣＣＨ）で受信されることを特徴とする請求項３６に記載の無線通信システムにおける移動端末とネットワーク間の無線リンク設定装置。
【請求項３８】
前記セルＩＤ及び前記１対多無線ベアラ情報が前記メモリに保存されていると判断された場合、前記セルに関連した１対多無線ベアラの現在のアップデート情報を受信する手段と、
前記１対多無線ベアラの現在のアップデート情報と前記１対多無線ベアラの保存されたアップデート情報とを比較する手段と、
前記１対多無線ベアラの現在のアップデート情報と前記１対多無線ベアラの保存されたアップデート情報が一致する場合、前記保存された１対多無線ベアラ情報を利用して前記サービスのための１対多無線ベアラを設定する手段と、
前記１対多無線ベアラを利用して前記サービスを受信する手段とをさらに含むことを特徴とする請求項３６に記載の無線通信システムにおける移動端末とネットワーク間の無線リンク設定装置。
【請求項３９】
前記セルＩＤ又は前記１対多無線ベアラ情報が前記メモリに予め保存されていないと判断された場合、前記受信されたアップデート情報と既に保存されたアップデート情報とを比較する手段と、
前記受信されたアップデート情報が前記保存されたアップデート情報と異なる場合、前記セルに関連した現在の１対多無線ベアラ情報を受信する手段とをさらに含むことを特徴とする請求項３６に記載の無線通信システムにおける移動端末とネットワーク間の無線リンク設定装置。
【請求項４０】
前記セルＩＤ、前記現在の１対多無線ベアラ情報、及び前記受信されたアップデート情報を前記メモリに保存する手段と、
前記現在の１対多無線ベアラ情報を利用して前記サービスのための１対多無線ベアラを設定する手段と、
前記１対多無線ベアラを利用して前記サービスを受信する手段とをさらに含むことを特徴とする請求項３９に記載の無線通信システムにおける移動端末とネットワーク間の無線リンク設定装置。
【請求項４１】
前記セルに関連した無線ベアラ情報を保存する手段は、
保存される無線ベアラ情報アイテムの数が前記移動端末の閾値を超過するか否かを判断する手段と、
前記保存される無線ベアラ情報アイテムの数が前記移動端末の閾値を超過する場合、既に保存された無線ベアラ情報アイテムを削除して前記無線ベアラ情報を保存する手段と、
前記保存される無線ベアラ情報アイテムの数が前記移動端末の閾値を超過しない場合、前記無線ベアラ情報を保存する手段とをさらに含むことを特徴とする請求項２５に記載の無線通信システムにおける移動端末とネットワーク間の無線リンク設定装置。
【請求項４２】
前記移動端末の閾値は、前記ネットワークにより決定されることを特徴とする請求項４１に記載の無線通信システムにおける移動端末とネットワーク間の無線リンク設定装置。
【請求項４３】
前記移動端末の閾値は、前記移動端末により決定されることを特徴とする請求項４１に記載の無線通信システムにおける移動端末とネットワーク間の無線リンク設定装置。
【請求項４４】
既に保存された無線ベアラアイテムを削除する手段は、
現在前記移動端末が位置するセルから最も遠いセルの無線ベアラ情報アイテムを削除することを特徴とする請求項４１に記載の無線通信システムにおける移動端末とネットワーク間の無線リンク設定装置。
【請求項４５】
既に保存された無線ベアラ情報アイテムを削除する手段は、
前記保存された無線ベアラ情報アイテムのうち最古の無線ベアラ情報アイテムを削除することを特徴とする請求項４１に記載の無線通信システムにおける移動端末とネットワーク間の無線リンク設定装置。
【請求項４６】
特定セッションが終了すると、前記サービスの特定セッション中に前記サービスのために保存された全ての無線ベアラ情報アイテムを削除する手段をさらに含むことを特徴とする請求項２５に記載の無線通信システムにおける移動端末とネットワーク間の無線リンク設定装置。
【請求項４７】
前記移動端末が前記サービスを非活性化させると、前記サービスの特定セッション中に前記サービスのために保存された全ての無線ベアラ情報アイテムを削除する手段をさらに含むことを特徴とする請求項２５に記載の無線通信システムにおける移動端末とネットワーク間の無線リンク設定装置。
【請求項４８】
前記無線ベアラ情報を保存するとき、タイマーを起動する手段と、
前記タイマーが終了すると、前記保存された無線ベアラ情報を削除する手段とをさらに含むことを特徴とする請求項２５に記載の無線通信システムにおける移動端末とネットワーク間の無線リンク設定装置。
【発明の詳細な説明】
【技術分野】
【０００１】
本発明は、無線通信システムにおいて移動端末とネットワーク間に無線ベアラを設定する装置及び方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワーク（ＣＮ）とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。
【０００３】
図１は、従来のＵＭＴＳネットワーク構造１を示す図である。移動端末２又はユーザ装置（ＵＥ）は、ＵＴＲＡＮ（ＵＭＴＳ  ｔｅｒｒｅｓｔｒｉａｌ  ｒａｄｉｏ  ａｃｃｅｓｓ  ｎｅｔｗｏｒｋ）６を介してコアネットワーク４に接続し、前記ＵＴＲＡＮ６は、前記ＵＥ２と前記コアネットワーク４間の通信のための無線接続ベアラを構成して維持及び管理し、エンドツーエンドサービス品質（ＱｏＳ）要求事項を充足させる。
【０００４】
前記ＵＴＲＡＮ６は、複数の無線ネットワークサブシステム（Ｒａｄｉｏ  Ｎｅｔｗｏｒｋ  Ｓｕｂｓｙｓｔｅｍｓ：  ＲＮＳ）８を含み、各ＲＮＳは、複数の基地局１２又は「Ｎｏｄｅ  Ｂ」のための１つの無線ネットワーク制御装置（Ｒａｄｉｏ  Ｎｅｔｗｏｒｋ  Ｃｏｎｔｒｏｌｌｅｒ：  ＲＮＣ）１０を含む。所定の基地局１２に接続したＲＮＣ１０は、１つのセル内で動作する前記ＵＥ２に提供される共有リソースの割り当て及び管理を担当する制御ＲＮＣを意味する。１つのＮｏｄｅ  Ｂには、１つ以上のセルが存在する。前記制御ＲＮＣ１０は、トラヒックロード、セル輻輳（ｃｏｎｇｅｓｔｉｏｎ）、及び新しい無線リンクの承認を制御する。各Ｎｏｄｅ  Ｂ１２は、前記ＵＥ２からアップリンク信号を受信し、前記ＵＥ２にダウンリンク信号を伝送する。各Ｎｏｄｅ  Ｂ１２は、前記ＵＥ２と前記ＵＴＲＡＮ６を接続するアクセスポイントの役割を果たし、前記ＲＮＣ１０は、該当Ｎｏｄｅ  Ｂと前記コアネットワーク４を接続するためのアクセスポイントの役割を果たす。
【０００５】
前記ＵＴＲＡＮ６の無線ネットワークサブシステム８のうち、サービングＲＮＣ１０は、特定ＵＥにサービスを提供するための専用無線リソースを管理するＲＮＣであり、前記特定ＵＥにデータを送信するための前記コアネットワーク４とのアクセスポイントである。前記ＵＥ２に接続された全てのＲＮＣがドリフト（ｄｒｉｆｔ）ＲＮＣであるため、前記ＵＴＲＡＮ６を介して前記ＵＥと前記コアネットワーク４を接続するサービングＲＮＣ１０は１つのみ存在する。前記ドリフトＲＮＣ１０は、ユーザデータのルーティングを容易にし、共有リソースとして符号を割り当てる。
【０００６】
前記ＵＥ２と前記ＵＴＲＡＮ６間のインタフェースは、無線アクセスネットワーク規格に準拠して設定された無線インタフェースプロトコルにより実現されるが、この無線インタフェースプロトコルは、例えば、３ＧＰＰ規格で説明された物理層（Ｌ１）とデータリンク層（Ｌ２）、及びネットワーク層（Ｌ３）からなる。これらの層は、通信システムにおいて公知の開放型システム間相互接続（ＯＳＩ）参照モデルの下位３層に基づく。
【０００７】
図２は、従来の無線インタフェースプロトコルの構造を示す。図２に示すように、前記無線インタフェースプロトコルは、水平的には、物理層と、データリンク層と、ネットワーク層とに区分され、垂直的には、音声信号及びＩＰパケット送信などのデータトラヒックを転送するためのユーザプレーンと、インタフェースの維持及び管理のための制御情報を転送するための制御プレーンとに区分される。
【０００８】
物理層（ＰＨＹ）は、上位層に情報転送サービスを提供し、媒体アクセス制御（ＭＡＣ）層とは送信チャネル（Ｔｒａｎｓｐｏｒｔ  Ｃｈａｎｎｅｌ）で接続される。前記ＭＡＣ層と前記物理層間は、送信チャネルを介してデータを交換する。また、データ送信は、相異なる物理層間、すなわち、送信側（送信機）と受信側（送信機）の物理層間に物理チャネルを介して行われる。
【０００９】
第２層（Ｌ２）のＭＡＣ層は、上位層に情報転送サービスを提供し、論理チャネルを介して無線リンク制御（Ｒａｄｉｏ  Ｌｉｎｋ  Ｃｏｎｔｒｏｌ：  ＲＬＣ）層に接続される。前記第２層（Ｌ２）のＲＬＣは、信頼性のあるデータ送信をサポートし、上位層からのＲＬＣサービスデータ単位（ＳＤＵ）の分割及び連結機能を果たす。
【００１０】
第３層Ｌ３の最下部に位置する無線リソース制御（Ｒａｄｉｏ  Ｒｅｓｏｕｒｃｅ  Ｃｏｎｔｒｏｌ：ＲＲＣ）層は、制御プレーンにおいてのみ定義され、無線ベアラ（Ｒａｄｉｏ  Ｂｅａｒｅｒ：ＲＢ）の設定、再設定及び解除に関連して転送チャネル及び物理チャネルを制御する。ここで、ＲＢは、前記ＵＥ２と前記ＵＴＲＡＮ６間のデータ転送のために、ＲＬＣ層又はＭＡＣ層などの下位層により提供されるサービスである。
【００１１】
ＲＢの設定とは、特定サービスを提供するために必要なプロトコル層及びチャネルの特性を規定することで、前記サービスのパラメータ及び動作方法を設定することである。特定ＵＥ２のＲＲＣ層とＵＴＲＡＮ６のＲＲＣ層間に接続が設定されて転送が可能なときは、前記ＵＥ２がＲＲＣ接続状態にあるといい、接続されていないときは、前記ＵＥ２がアイドル状態にあるという。
【００１２】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：  ＭＢＭＳ又はＭＢＭＳサービス）について説明する。ＭＢＭＳとは、１対多無線ベアラ及び１対１無線ベアラの少なくとも１つを使用するダウンリンク専用のＭＢＭＳ無線ベアラを利用して複数のＵＥ２にストリーミング及びバックグラウンドサービスを提供する方法をいう。１つのＭＢＭＳサービスは、１つ以上のセッションを含み、ＭＢＭＳデータは、セッション中にのみＭＢＭＳ無線ベアラを介して複数の端末に送信される。
【００１３】
ＭＢＭＳは、その名称から分かるように、ブロードキャストモード又はマルチキャストモードで行われる。前記ブロードキャストモードは、ブロードキャスト領域、例えば、ブロードキャストサービスが利用可能なドメイン内の全てのＵＥにマルチメディアデータを送信するためのモードである。前記マルチキャストモードは、マルチキャスト領域、例えば、マルチキャストサービスが利用可能なドメイン内の特定ＵＥグループにマルチメディアデータを送信するためのモードである。
【００１４】
前記ＵＴＲＡＮ６は、ＲＢを使用して前記ＵＥ２にＭＢＭＳサービスを提供する。前記ＵＴＲＡＮ６により使用されるＲＢは、１対１ＲＢと１対多ＲＢに分類される。前記１対１ＲＢは、双方向ＲＢ（ｂｉ−ｄｉｒｅｃｔｉｏｎａｌ  ＲＢ）であり、論理チャネルＤＴＣＨ（Ｄｅｄｉｃａｔｅｄ  Ｔｒａｆｆｉｃ  Ｃｈａｎｎｅｌ）、送信チャネルＤＣＨ（Ｄｅｄｉｃａｔｅｄ  Ｃｈａｎｎｅｌ）及び物理チャネルＤＰＣＨ（Ｄｅｄｉｃａｔｅｄ  Ｐｈｙｓｉｃａｌ  Ｃｈａｎｎｅｌ）又はＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。
【００１５】
１対多ＲＢは、単方向ダウンリンクＲＢ（ｕｎｉ−ｄｉｒｅｃｔｉｏｎａｌ  ｄｏｗｎｌｉｎｋ  ＲＢ）であり、論理チャネルＭＴＣＨ（ＭＢＭＳ  Ｔｒａｆｆｉｃ  Ｃｈａｎｎｅｌ）、送信チャネルＦＡＣＨ、及び物理チャネルＳＣＣＰＣＨを含む。前記論理チャネルＭＴＣＨは、１つのセルに提供されるそれぞれのＭＢＭＳサービス毎に設定され、特定ＭＢＭＳサービスのユーザプレーンデータを前記ＵＥ２に送信するために使用される。
【００１６】
前記ＭＢＭＳサービスを提供するＵＴＲＡＮ６は、ＭＣＣＨ（ＭＢＭＳ  Ｃｏｎｔｒｏｌ  Ｃｈａｎｎｅｌ）でＭＢＭＳに関連したＲＲＣメッセージを複数の端末（ＵＥ）２に送信する。前記論理チャネルＭＣＣＨは、１対多ダウンリンクチャネルであり、前記ＳＣＣＰＣＨにマッピングされたＦＡＣＨにマッピングされる。
【００１７】
前記ＭＣＣＨで伝送されたＭＢＭＳ関連ＲＲＣメッセージは、一般的にＭＢＭＳサービス情報メッセージとＭＢＭＳ  ＲＢ情報メッセージとから構成される。各セルに伝送された前記ＭＢＭＳサービス情報メッセージは、該当セルにおいて現在サービス中であるか、又はサービスされることになったＭＢＭＳサービスに対するＩＤリスト及び各ＭＢＭＳサービスに対するＲＢのタイプを含む。前記特定ＭＢＭＳサービスが該当セルで１対多ＲＢを利用する場合、前記ＭＢＭＳ  ＲＢ情報メッセージは、該当ＭＢＭＳサービスに関連した１対多ＲＢに関する情報を含む。
【００１８】
前記１対多ＲＢを利用して前記特定ＭＢＭＳサービスを受信しようとする端末は、前記ＭＣＣＨで前記ＭＢＭＳサービス情報メッセージを受信する。前記受信されたＭＢＭＳサービス情報メッセージが前記特定ＭＢＭＳサービスに対するＭＢＭＳ  ＲＢ情報メッセージの受信を示す場合、前記端末は、前記ＭＢＭＳ  ＲＢ情報メッセージにより、前記特定ＭＢＭＳサービスを受信するためのＭＢＭＳ  ＲＢの設定のために前記端末に必要な情報を取得する。つまり、前記受信されたＭＢＭＳサービス情報メッセージが前記特定ＭＢＭＳサービスのＩＤを含み、前記特定ＭＢＭＳのためのＲＢのタイプが１対多ＲＢであることを示す場合、前記端末は、前記ＭＢＭＳ  ＲＢ情報メッセージを受信することにより１対多ＲＢ情報を取得し、前記取得された情報を利用して前記１対多ＲＢを設定する。
【００１９】
図３は、前記移動端末（ＵＥ２）が移動したセルにおいて特定ＭＢＭＳサービスのためのＭＢＭＳ  ＲＢを設定する従来の過程を示す図である。図３に示すように、前記移動端末は、セルＡからセルＢに、セルＢからセルＣに、その後、セルＣから再びセルＡに移動する。前記ＵＥ２は、セルＡ−Ｃで段階１、段階２、段階３及び段階４を順次行う。
【００２０】
前記セルＡ−Ｃは、前記移動端末（ＵＥ２）が受信しようとする特定ＭＢＭＳサービスを提供し、１対多ＲＢを利用して前記ＭＢＭＳサービスを前記移動端末に伝送する。前記移動端末が新しいセルに移動する度に、前記移動端末は、ＭＢＭＳサービス情報メッセージ及びＭＢＭＳ  ＲＢ情報メッセージを受信する。その後、前記ＵＥ２は、前記受信された情報メッセージを利用して前記新しいセルに対して１対多ＲＢを設定する。
【００２１】
段階１で、前記移動端末はセルＡに位置し、このとき、前記移動端末が受信しようとする特定ＭＢＭＳサービスのセッションが開始される。前記セッションが開始すると、前記移動端末は、前記セルＡから伝送されたＭＢＭＳ  ＲＢ情報メッセージを受信して１対多ＲＢに関する情報を取得する。前記移動端末は、前記取得された１対多ＲＢ情報を利用して１対多ＭＢＭＳ  ＲＢを設定した後、前記特定ＭＢＭＳサービスのデータを受信する。次に、前記移動端末は、前記セルＡからセルＢに移動して段階２を行う。
【００２２】
その後、段階２、３及び４で、前記移動端末は、あるセルから他のセルに移動中に該当セルから伝送されたＭＢＭＳ  ＲＢ情報メッセージを受信して１対多ＭＢＭＳ  ＲＢ情報を取得する。前記移動端末は、前記取得された１対多ＲＢ情報を利用して１対多ＭＢＭＳ  ＲＢを設定した後、該当セルから前記特定ＭＢＭＳのデータを受信する。
【００２３】
従来の移動端末の無線ベアラ設定方法によると、前記移動端末が複数のセルを移動中に１対多ＲＢにより特定ＭＢＭＳサービスを受信するとき、前記移動端末は、セルに移動する度にＭＢＭＳ  ＲＢを設定するためのＭＢＭＳ  ＲＢ情報メッセージを受信する。これにより、図３の段階４のように、前記移動端末が他のセル（すなわち、セルＢ及びセルＣ）を経てセルＡのような以前に進入したセルに戻ってくる場合、前記移動端末は、前記ＭＢＭＳ  ＲＢを設定するために以前に受信したＭＢＭＳ  ＲＢ情報メッセージを再び受信する。このような動作による不要なＭＢＭＳ  ＲＢ情報メッセージの受信は、前記移動端末が前記セルに移動してＭＢＭＳ  ＲＢを設定した後、ＭＢＭＳサービスデータを受信するときに時間遅延を発生させる。また、前記遅延によりデータの受信が不可能になるため、データ損失が発生する。
【発明の開示】
【発明が解決しようとする課題】
【００２４】
従って、本発明の目的は、移動端末がセル間を移動するとき、１対多無線ベアラ情報の再受信を防止し、データ損失を最小化する移動端末の無線ベアラ設定方法を提供することにある。
【００２５】
本発明の付加的な長所と特徴は以下の説明に記載され、一部は当業者が以下の内容を検討するか、又は発明を実施することにより明確になる。本発明の他の長所と目的は以下に記載の説明、請求項、添付図面に特別に指摘された構成によって実現及び達成される。
【課題を解決するための手段】
【００２６】
このような目的を達成するために、本発明は、方法及び装置で実現される。一実施形態において、無線通信システムにおける移動端末とネットワーク間の無線リンク設定方法は、セル内で前記ネットワークと通信を接続する段階と、前記セルに関連した無線ベアラ情報を受信して保存する段階と、前記セル内で前記ネットワークとの通信を停止する段階と、前記セル内で前記ネットワークとの通信を再接続する段階と、前記セル内で前記ネットワークとの通信が再接続されると、前記保存された無線ベアラ情報を利用してサービスのための１対多無線ベアラを設定する段階とを含む。
【００２７】
さらに、前記無線ベアラ情報は、前記セルのＭＢＭＳ制御チャネル（ＭＣＣＨ）で受信される。前記方法は、前記無線ベアラ情報を利用してサービスのための１対多無線ベアラを設定し、前記ネットワークとの通信を停止する前に前記サービスを受信する段階をさらに含む。前記サービスは１対多サービスを含む。また、前記無線ベアラ情報は１対多無線ベアラ情報である。
【００２８】
詳しくは、本発明は、前記セルのセルＩＤを受信する段階と、前記セルに関連した前記受信された無線ベアラの情報のタイプを判断する段階と、前記受信された無線ベアラ情報が１対１無線ベアラ情報であると判断された場合、前記受信された無線ベアラ情報を利用してサービスのための１対１無線ベアラを設定する段階と、前記１対１無線ベアラを利用して前記サービスを受信する段階とをさらに含む。
【００２９】
また、本発明は、前記セルのセルＩＤを受信する段階と、前記受信された無線ベアラ情報が１対多無線ベアラ情報であると判断された場合、前記セルのセルＩＤ及び１対多無線ベアラ情報がメモリに保存されているか否かを判断する段階と、前記セルのセルＩＤ及び１対多無線ベアラ情報がメモリに保存されていると判断された場合、前記１対多無線ベアラ情報を利用してサービスのための１対多無線ベアラを設定する段階と、前記１対多無線ベアラを利用して前記サービスを受信する段階とをさらに含む。
【００３０】
さらに、本発明は、前記セルのセルＩＤを受信する段階と、受信された無線ベアラ情報が１対多無線ベアラ情報であると判断された場合、前記セルのセルＩＤ及び１対多無線ベアラ情報がメモリに保存されているか否かを判断する段階と、前記セルのセルＩＤ又は１対多無線ベアラ情報が前記メモリに保存されていないと判断された場合、前記セルＩＤ及び前記受信された無線ベアラ情報をメモリに保存する段階と、前記受信された無線ベアラ情報を利用してサービスのための１対多無線ベアラを設定する段階と、前記１対多無線ベアラを利用して前記サービスを受信する段階とを含む。
【００３１】
さらに、前記方法は、前記セルのセルＩＤを受信する段階と、サービスのための１対多無線ベアラのアップデート情報を受信する段階と、前記セルのセルＩＤ及び１対多無線ベアラ情報がメモリに保存されているか否かを判断する段階とを含み、前記アップデート情報は、前記セルのＭＢＭＳ制御チャネル（ＭＣＣＨ）で受信される。
【００３２】
前記方法は、前記セルのセルＩＤ及び１対多無線ベアラ情報がメモリに保存されていると判断された場合、前記セルに関連した１対多無線ベアラの現在のアップデート情報を受信する段階と、前記１対多無線ベアラの現在のアップデート情報と前記１対多無線ベアラの保存されたアップデート情報とを比較する段階と、前記１対多無線ベアラの現在のアップデート情報が前記１対多無線ベアラの保存されたアップデート情報と同一である場合、前記１対多無線ベアラの保存されたアップデート情報を利用して前記サービスのための１対多無線ベアラを設定する段階と、前記１対多無線ベアラを利用して前記サービスを受信する段階とをさらに含む。
【００３３】
また、前記方法は、前記セルのセルＩＤを受信する段階と、サービスのアップデート情報を受信する段階と、前記セルのセルＩＤ及び１対多無線ベアラ情報がメモリに保存されているか否かを判断する段階と、前記セルＩＤ又は前記１対多無線ベアラ情報が前記メモリに既に保存されていないと判断された場合、前記受信されたアップデート情報と既に保存されたアップデート情報とを比較する段階と、前記受信されたアップデート情報が前記既に保存されたアップデート情報と異なる場合、前記セルに関連した現在の１対多無線ベアラ情報を受信する段階とをさらに含む。
【００３４】
前記方法は、前記セルＩＤ、前記現在の１対多無線ベアラ情報及び前記受信されたアップデート情報を前記メモリに保存する段階と、前記現在の１対多無線ベアラ情報を利用して前記サービスのための１対多無線ベアラを設定する段階と、前記１対多無線ベアラを利用して前記サービスを受信する段階とをさらに含む。
【００３５】
さらに、前記セルに関連した無線ベアラ情報を保存する段階は、保存される無線ベアラ情報アイテムの数が前記移動端末の閾値を超過するか否かを判断する段階と、前記保存される無線ベアラ情報アイテムの数が前記移動端末の閾値を超過する場合、既に保存された無線ベアラ情報アイテムを削除して前記無線ベアラ情報を保存する段階と、前記保存される無線ベアラ情報アイテムの数が前記移動端末の閾値を超過しない場合、前記無線ベアラ情報を保存する段階とを含む。前記移動端末の閾値は、ネットワーク又は移動端末により決定される。
【００３６】
さらに、既に保存された無線ベアラ情報アイテムを削除する段階は、現在前記移動端末が位置するセルから最も遠いセルの無線ベアラ情報アイテムを削除する段階を含む。また、既に保存された無線ベアラ情報アイテムを削除する段階は、前記保存された無線ベアラ情報アイテムのうち最古の無線ベアラ情報アイテムを削除する段階を含む。
【００３７】
より詳しくは、前記無線通信システムにおける移動端末とネットワーク間の無線リンク設定方法は、前記特定セッションが終了すると、前記サービスの特定セッション中に前記サービスのために保存された全ての無線ベアラ情報アイテムを削除する段階をさらに含む。前記方法は、前記移動端末が前記サービスを非活性化させると、前記サービスの特定セッション中に前記サービスのために保存された全ての無線ベアラ情報アイテムを削除する段階をさらに含む。また、前記方法は、前記無線ベアラ情報を保存するときにタイマーを起動し、前記タイマーが終了すると、前記保存された無線ベアラ情報を削除する段階をさらに含む。
【００３８】
本発明についての前記一般的な説明と以下の詳細な説明は、単に実施形態を提示して説明をするためのものであり、本発明についての追加的な説明のために記載されたものであることが明白である。
【発明の効果】
【００３９】
本発明によるＲＢ設定方法においては、移動端末が自身が通過したセルのＲＢ情報を保存し、自身が以前に進入したセルに戻った場合、該当セルにおいてＭＢＭＳ  ＲＢ情報メッセージを再受信せずに既に保存されたＲＢ情報を利用してＲＢを設定する。このように、前記移動端末は、不要にＭＢＭＳ  ＲＢ情報を再受信する必要がない。また、セル間の移動によるデータ損失を最小化する。
【発明を実施するための最良の形態】
【００４０】
本発明は、無線通信システムにおいて移動端末とネットワーク間の無線ベアラを設定する方法に関する。図４を参照すると、移動端末は、セルＡからセルＢに、セルＢからセルＣに、セルＣから再びセルＡに移動する。前記移動中に、前記移動端末は、前記セルＡで段階１を、前記セルＢで段階２を、前記セルＣで段階３を、前記セルＡに戻ってくると段階４を順次行う。図４の各セルは、前記移動端末が受信しようとする特定ＭＢＭＳサービスを提供する。前記セルは、１対多無線ベアラを利用して前記ＭＢＭＳサービスを前記移動端末に伝送する。
【００４１】
段階１で、移動端末はセルＡに位置する。このとき、前記移動端末が受信しようとする特定ＭＢＭＳサービスのセッションが開始される。前記セッションが開始されることにより、前記移動端末は、前記セルＡから伝送されたＭＢＭＳ  ＲＢ情報メッセージを受信して１対多ＭＢＭＳ  ＲＢ情報を取得する。その後、前記移動端末は、前記取得された１対多ＭＢＭＳ  ＲＢ情報を利用して１対多ＭＢＭＳ  ＲＢを設定した後、前記特定ＭＢＭＳサービスを受信する。また、前記移動端末は、前記取得された１対多ＭＢＭＳ  ＲＢ情報を保存する。その後、前記移動端末は、前記セルＡからセルＢに移動した後、段階２を行う。
【００４２】
段階２で、セルＢに位置する移動端末は、セルＢから伝送されたＭＢＭＳ  ＲＢ情報メッセージを受信して１対多ＭＢＭＳ  ＲＢ情報を取得する。前記移動端末は、セルＢから取得された１対多ＭＢＭＳ  ＲＢ情報を利用して１対多ＭＢＭＳ  ＲＢを設定した後、前記特定ＭＢＭＳサービスを受信する。また、前記移動端末は、前記取得された１対多ＭＢＭＳ  ＲＢ情報を保存する。その後、前記移動端末は、セルＢからセルＣに移動した後、段階３を行う。
【００４３】
段階３で、セルＣに位置する移動端末は、前記セルＣから伝送されたＭＢＭＳ  ＲＢ情報を受信して１対多ＭＢＭＳ  ＲＢ情報を取得する。前記移動端末は、セルＣから取得された１対多ＭＢＭＳ  ＲＢ情報を利用して１対多ＭＢＭＳ  ＲＢを設定した後、前記特定ＭＢＭＳサービスを受信する。また、前記移動端末は、前記取得された１対多ＭＢＭＳ  ＲＢ情報を保存する。その後、前記移動端末は、セルＣから再びセルＡに移動した後、段階４を行う。
【００４４】
段階４で、前記移動端末は、セルＡに戻る。ここで、前記移動端末は、前記セルＡから１対多ＭＢＭＳ  ＲＢ情報メッセージを再び受信して１対多ＭＢＭＳ  ＲＢを設定する必要がない。代わりに、前記移動端末は、段階１で保存された１対多ＭＢＭＳ  ＲＢ情報を利用して１対多ＭＢＭＳ  ＲＢを設定する。一旦、ＲＢが設定されると、前記移動端末は、前記特定ＭＢＭＳサービスを受信する。
【００４５】
図５は、移動端末があるセルに移動するときにＭＢＭＳ  ＲＢを設定する方法を示す図であり、ここで、ＭＢＭＳ  ＲＢ情報は、特定ＭＢＭＳサービスの１つのセッション中にアップデートできない。まず、特定ＭＢＭＳサービスを受信しようとする移動端末は、前記特定ＭＢＭＳサービスを提供する任意のセルに移動し、前記セルから伝送されたセルＩＤを受信する（Ｓ１０）。前記移動端末は、現在セルのＭＢＭＳ制御チャネル（ＭＣＣＨ）でＭＢＭＳ情報メッセージを受信し、前記現在セルで前記特定ＭＢＭＳサービスのためにどのタイプのＭＢＭＳ  ＲＢを設定するかを確認する（Ｓ１２）。
【００４６】
前記現在セルが１対１ＭＢＭＳ  ＲＢを利用して前記特定ＭＢＭＳを提供する場合、前記移動端末は、ネットワークの制御下で前記１対１ＭＢＭＳ  ＲＢを設定し、前記設定されたＲＢを利用してＭＢＭＳサービスデータを受信する（Ｓ１４）。前記現在セルが１対多ＭＢＭＳ  ＲＢを利用して前記特定ＭＢＭＳを提供する場合、前記移動端末は、自身の内部メモリにセルＩＤ及び前記現在セルのための１対多ＭＢＭＳ  ＲＢ情報が保存されているか否かを確認する（Ｓ１６）。
【００４７】
前記移動端末のメモリに前記セルＩＤ及び前記現在セルのための１対多ＭＢＭＳ  ＲＢ情報が保存されていると確認された場合、前記移動端末は、前記保存された１対多ＭＢＭＳ  ＲＢ情報によって前記ＭＢＭＳサービスのための１対多ＭＢＭＳ  ＲＢを設定する。その後、前記移動端末は、前記設定された１対多ＲＢを利用してＭＢＭＳサービスデータを受信する（Ｓ１８）。しかしながら、前記メモリに前記現在セルのセルＩＤ又は１対多ＭＢＭＳ  ＲＢ情報が保存されていないと確認された場合、前記移動端末は、現在セルからＭＣＣＨで伝送された１対多ＭＢＭＳ  ＲＢ情報を受信する（Ｓ２０）。
【００４８】
前記移動端末は、前記受信されたセルＩＤ及び前記現在セルの１対多ＭＢＭＳ  ＲＢ情報を前記メモリに保存した後、現在セルの１対多ＭＢＭＳ  ＲＢ情報によって１対多ＭＢＭＳ  ＲＢを設定する。その後、前記移動端末は、前記ＲＢを利用してＭＢＭＳサービスを受信する（Ｓ２２）。
【００４９】
図６は、移動端末があるセルに移動するときにＭＢＭＳ  ＲＢを設定するための方法を示し、ＭＢＭＳ  ＲＢ情報は、特定ＭＢＭＳサービスの１つのセッション中にアップデートできる。まず、ＵＴＲＡＮは、ＭＣＣＨで移動端末にアップデートされた１対多ＭＢＭＳ  ＲＢ情報を伝送し、現在前記移動端末が位置するセルの１対多ＭＢＭＳ  ＲＢ情報が変更されたことを前記移動端末に通知する。前記ＵＴＲＡＮは、各セル及び各特定ＭＢＭＳサービスのアップデート情報を管理する。前記移動端末がセルから１対多ＭＢＭＳ  ＲＢ情報を受信すると、前記移動端末は、前記１対多ＭＢＭＳ  ＲＢのアップデート情報も受信しなければならない。前記移動端末が進入した前記セルにおいて、前記移動端末は、前記１対多ＭＢＭＳ  ＲＢ情報、前記１対多ＭＢＭＳ  ＲＢのアップデート情報、及び前記端末が進入した、前記１対多ＭＢＭＳ  ＲＢを利用して前記特定ＭＢＭＳサービスを提供するセルのセルＩＤをメモリに保存する。
【００５０】
図６に示すように、特定ＭＢＭＳサービスを受信しようとする前記移動端末は、任意のセルに移動する。前記移動端末は、１対多ＭＢＭＳ  ＲＢを利用して前記ＭＢＭＳサービスを提供する前記セルから伝送されたセルＩＤを受信する（Ｓ３０）。その後、前記移動端末は、前記現在のセルからＭＣＣＨで伝送されたＭＢＭＳ  ＲＢ情報メッセージを受信する。前記移動端末は、前記受信されたメッセージから前記特定ＭＢＭＳサービスのための１対多ＭＢＭＳ  ＲＢのアップデート情報を取得する（Ｓ３２）。
【００５１】
前記移動端末は、前記ＭＢＭＳサービスに対して前記セルＩＤ及び現在セルの１対多ＭＢＭＳ  ＲＢ情報が前記内部メモリに既に保存されているか否かを確認する（Ｓ３４）。前記セルＩＤ及び現在セルの１対多ＭＢＭＳ  ＲＢ情報が前記メモリに保存されている場合、前記移動端末は、現在セルから現在伝送された１対多ＭＢＭＳ  ＲＢ情報を受信する。しかしながら、前記セルＩＤ又は現在セルの１対多ＭＢＭＳ  ＲＢ情報が前記メモリに保存されていない場合、前記移動端末は、受信された１対多ＭＢＭＳ  ＲＢのアップデート情報と前記保存された１対多ＭＢＭＳ  ＲＢのアップデート情報とを比較する。前記受信されたアップデート情報が前記保存されたアップデート情報と異なる場合、前記移動端末は、現在セルから現在伝送された前記１対多ＭＢＭＳ  ＲＢ情報を受信する（Ｓ３８）。
【００５２】
これに対して、前記セルＩＤ及び現在セルの１対多ＭＢＭＳ  ＲＢ情報が前記メモリに保存されている場合、前記移動端末は、前記現在伝送されたアップデート情報を受信する。前記現在伝送されたアップデート情報と前記メモリに保存されているアップデート情報が一致する場合、前記移動端末は、前記保存された１対多ＭＢＭＳ  ＲＢ情報を利用して前記ＭＢＭＳサービスのための１対多ＭＢＭＳ  ＲＢを設定した後、前記設定されたＲＢを利用してＭＢＭＳサービスを受信する（Ｓ３６）。前記移動端末は、前記受信されたセルＩＤ、１対多ＭＢＭＳ  ＲＢ情報、及び現在セルの１対多ＭＢＭＳ  ＲＢのアップデート情報を前記メモリに保存する。前記移動端末は、また前記現在セルの１対多ＭＢＭＳ  ＲＢ情報によって１対多ＭＢＭＳ  ＲＢを設定した後、前記ＲＢを利用してＭＢＭＳサービスデータを受信する（Ｓ４０）。
【００５３】
前述したように、前記移動端末は、現在セルから取得された１対多ＭＢＭＳ  ＲＢのアップデート情報とメモリに保存された現在セルの１対多ＭＢＭＳ  ＲＢのアップデート情報とを比較する。前記２つの情報が相異なる場合、前記移動端末は、前記現在伝送された１対多ＭＢＭＳ  ＲＢの内容が前記メモリに保存された１対多ＭＢＭＳ  ＲＢ情報の内容と異なると判断する。しかしながら、前記２つの情報が同一である場合は、前記現在伝送された１対多ＭＢＭＳ  ＲＢの内容が前記メモリに保存された１対多ＭＢＭＳ  ＲＢ情報の内容と同一であると判断する。前記１対多ＭＢＭＳ  ＲＢのアップデート情報の場合、整数値を有するアップデートパラメータを利用できる。
【００５４】
図７は、移動端末の１対多ＭＢＭＳ  ＲＢ情報の保存方法を示す。図５及び図６に示すように、現在セルの１対多ＭＢＭＳ  ＲＢ情報が受信されると、前記移動端末は、保存動作を行う前に前記メモリに現在セルの１対多ＭＢＭＳ  ＲＢ情報を保存する空間が存在するか否かを判断する必要がある。
【００５５】
このような目的のために、前記移動端末は、「１対多＿ＭＢＭＳ＿ＲＢ情報＿最大保存数（ｐｏｉｎｔ−ｔｏ−ｍｕｌｔｉｐｏｉｎｔ＿ＭＢＭＳ＿ＲＢ  ｉｎｆｏｒｍａｔｉｏｎ＿ｍａｘｉｍｕｍ  ｓｔｏｒａｇｅ  ｎｕｍｂｅｒ）」のような移動端末の閾値を管理する。前記移動端末が現在セルの１対多ＭＢＭＳ  ＲＢ情報アイテムを前記メモリに保存しようとする場合、前記端末は、保存される１対多ＭＢＭＳ  ＲＢ情報の数が移動端末の閾値を超過するか否かを判断する。保存される１対多ＭＢＭＳ  ＲＢ情報の数が移動端末の閾値を超過する場合、前記現在セルの現在受信された１対多ＭＢＭＳ  ＲＢ情報アイテムを保存するために、前記移動端末は、１つの既に保存された１対多ＭＢＭＳ  ＲＢ情報アイテムをメモリから削除する。しかしながら、前記保存される１対多ＭＢＭＳ  ＲＢ情報の数が移動端末の閾値より小さい場合、前記移動端末は、既に保存された１対多ＭＢＭＳ  ＲＢ情報アイテムを削除せずに前記現在セルの１対多ＭＢＭＳ  ＲＢ情報アイテムを保存する。
【００５６】
前記移動端末の閾値はＵＴＲＡＮにより決定され、前記端末が現在セルの１対多ＭＢＭＳ  ＲＢ情報をメモリに保存する前に前記ＵＴＲＡＮから端末に伝送される。前記端末は、自身の性能によって前記移動端末の閾値を決定することができる。前記移動端末において１つの閾値は、各ＭＢＭＳサービス又は各端末のために決定される。
【００５７】
図７を参照すると、メモリに保存できる１対多ＭＢＭＳ  ＲＢ情報アイテムの最大個数（すなわち、「ｐｏｉｎｔ−ｔｏ−ｍｕｌｔｉｐｏｉｎｔ＿ＭＢＭＳ＿ＲＢ＿ｍａｘｉｍｕｍ  ｓｔｏｒａｇｅ  ｎｕｍｂｅｒ」）は３である。従って、前記移動端末のメモリには最大３つのセルのための１対多ＭＢＭＳ  ＲＢ情報を保存することができる。
【００５８】
図７に示すように、前記移動端末が通過したセルＡ、Ｂ、Ｃ、Ｄ、Ｅ、Ｆ及びＧなどのセルのうち、前記移動端末のメモリには前記特定ＭＢＭＳのために１対多ＭＢＭＳ  ＲＢを設定したセルＡ、Ｂ及びＤから受信された１対多ＭＢＭＳ  ＲＢ情報が含まれる。前記メモリに保存できる１対多ＭＢＭＳ情報アイテムの最大数が３である場合、前記移動端末がセルＦに移動すると、前記セルＦの１対多ＭＢＭＳ  ＲＢ情報を保存できるように、前記移動端末は、前記移動端末に保存された１対多ＭＢＭＳ  ＲＢ情報のうちの１つを削除しなければならない。好ましくは、前記移動端末は、現在自身が位置するセルから最も遠いセルの１対多ＭＢＭＳ  ＲＢ情報を削除するか、又は、前記保存された１対多ＭＢＭＳ  ＲＢ情報のうち最古の１対多ＭＢＭＳ  ＲＢ情報アイテムを削除する。従って、前記移動端末は、図７に示すように、前記セルＡのための１対多ＭＢＭＳ  ＲＢ情報を削除した後、前記セルＦの１対多ＭＢＭＳ  ＲＢ情報を前記メモリに保存する。
【００５９】
前記移動端末が１つのセルのための１対多ＭＢＭＳ  ＲＢ情報を保存するとき、前記メモリに前記セルのセルＩＤも共に保存する。ここで、前記１対多ＭＢＭＳ  ＲＢ情報及びセルＩＤは、１対１の関係にある。このように、前記１対多ＭＢＭＳ  ＲＢ情報をメモリに保存する場合、前記１対多ＭＢＭＳ  ＲＢ情報のためのセルＩＤも保存しなければならない。また、前記１対多ＭＢＭＳ  ＲＢ情報がメモリから削除されると、前記１対多ＭＢＭＳ  ＲＢ情報のためのセルＩＤも削除されなければならない。
【００６０】
図６に示すように、１対多ＭＢＭＳ  ＲＢのアップデート情報が利用される場合、前記移動端末は、１つのセルのための１対多ＭＢＭＳ  ＲＢ情報を保存するとき、前記１対多ＭＢＭＳ  ＲＢのアップデート情報も共に保存する。この場合、前記１対多ＭＢＭＳ  ＲＢ情報と前記１対多ＭＢＭＳ  ＲＢ情報のアップデート情報も１対１の関係にある。
【００６１】
前記移動端末は、前記保存された１対多ＭＢＭＳ  ＲＢ情報及びセルＩＤを確認することにより、前記保存された１対多ＭＢＭＳ  ＲＢ情報がどのセルのためのものかが分かる。また、前記移動端末は、現在セルの受信されたセルＩＤとメモリに保存されたセルＩＤとを比較することにより、２つのセルＩＤを識別することができる。前記受信されたセルＩＤが前記メモリに保存されたセルＩＤと同一であり、前記保存されたセルＩＤと１対１の関係にある１対多ＭＢＭＳ  ＲＢ情報が前記メモリに保存されている場合、前記移動端末は、１対多ＭＢＭＳ  ＲＢ情報が前記メモリに保存されていると判断する。
【００６２】
また、好ましくは、本発明のメモリデータ削除方法としては３つの方法がある。第１のメモリデータ削除方法において、ＭＢＭＳサービスの特定セッションが終了すると、前記移動端末は、前記セッション中に前記特定ＭＢＭＳサービスのためにメモリに保存されていた全ての１対多ＭＢＭＳ  ＲＢ情報を削除する。このように、前記移動端末は、前記ＭＢＭＳサービスの１つの特定セッション中にのみ、前記特定ＭＢＭＳサービスのために前記メモリに保存されている１対多ＭＢＭＳ  ＲＢ情報を利用できる。好ましくは、前記移動端末がシステムから前記ＭＢＭＳサービスに対するＲＢ解除メッセージ又はセッション中断メッセージを受信した場合、前記移動端末は、前記メモリから前記サービスのために保存された１対多ＭＢＭＳ  ＲＢ情報を削除する。
【００６３】
第２のメモリデータ削除方法において、前記移動端末がＭＢＭＳサービスを非活性化させると、前記移動端末は、メモリから前記セッション中に前記サービスのために保存された全ての１対多ＭＢＭＳ  ＲＢ情報を削除する。このように、前記端末は、前記サービスの全てのセッション中に、前記特定ＭＢＭＳサービスのためにメモリに保存されている１対多ＭＢＭＳ  ＲＢ情報を使用することができる。好ましくは、前記移動端末がＭＢＭＳサービスのためのＵＥコンテキスト情報を削除した場合、前記移動端末は、メモリから前記サービスのために保存された全ての１対多ＭＢＭＳ  ＲＢ情報を削除する。
【００６４】
第３のメモリデータ削除方法において、前記移動端末は、１つのセルに関して前記メモリに保存された全ての情報（セルＩＤ、１対多ＭＢＭＳ  ＲＢ情報及び前記１対多ＭＢＭＳ  ＲＢのアップデート情報）に対してタイマーを起動する。前記タイマーが終了すると、前記移動端末は、前記セルに関する情報を削除する。従って、前記端末がメモリに１つのセルに関して１対多ＭＢＭＳ  ＲＢ情報を保存した場合、前記セルの情報の削除に関連したタイマーが起動する。
【００６５】
図７の実施形態において、前記移動端末は、セルＦの１対多ＭＢＭＳ  ＲＢ情報を保存するときにタイマーＴｆを起動させる。前記タイマーＴｆが終了すると、前記移動端末は、前記メモリから前記セルＦの１対多ＭＢＭＳ  ＲＢ情報を削除する。前記セルＦの１対多ＭＢＭＳ  ＲＢ情報が削除されると、前記セルＩＤ及び前記１対多ＭＢＭＳ  ＲＢ情報と１対１の関係にある１対多ＭＢＭＳ  ＲＢ情報のアップデート情報も削除される。例えば、前記移動端末がセルＡ、ＢとＤの１対多ＭＢＭＳ  ＲＢ情報を保存する場合、前記移動端末は、タイマー（Ｔａ、Ｔｂ及びＴｃ）をそれぞれ起動する。前記タイマーのうちの１つが終了すると、前記移動端末は、前記タイマーに該当する情報をメモリから削除する。前記移動端末は、前記タイマーの終了時間として自身に保存されている値や前記システムから受信した値を利用することができる。
【００６６】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【００６７】
本実施形態は、ソフトウェア、ファームウエア、ハードウェア又はこれらの組み合わせを生産するための標準プログラミング及び／又はエンジニアリング技術を利用して製造方法、装置又は製造物として実行できる。ここで、「製造物」という用語は、ハードウェアロジック（例：  集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例：  ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例：  ＥＥＰＲＯＭ、ＲＯＭ、ＰＲＯＭ、ＲＡＭ、ＤＲＡＭ、ＳＲＡＭ、ファームウエア、プログラムロジックなど）において実行されるコードやロジックを示す。
【００６８】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空間を通じて伝達される信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【００６９】
図示されたロジック実現は、所定の順に発生できる特定動作を説明したものであり、他の実現例では、所定のロジック動作が他の順に実現でき、修正又は削除されて本発明の好ましい実施形態を実現できる。また、段階を前記言及したロジックに付加して本発明を実現できる。
【００７０】
本発明の精神や重要な特性から外れないように多様な形態で本発明を実現することにより、前述した実施形態のいずれの細部的な記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【００７１】
発明の理解を容易にするために添付され、本明細書の一部を構成する図面は、発明の多様な実施形態を示し、明細書と共に発明の原理を説明するためのものである。
【図１】従来のＵＭＴＳネットワーク構造を示すブロック図である。
【図２】３ＧＰＰ無線接続網標準に準拠する従来のインタフェースプロトコルの構成を示すブロック図である。
【図３】移動端末が複数のセル間を移動中に特定１対多サービスのために１対多ＲＢを設定する従来の動作を示す図である。
【図４】本発明の一実施形態により、移動端末が複数のセル間を移動中に特定１対多サービスのために１対多ＲＢを設定する動作を示す図である。
【図５】本発明の一実施形態により、移動端末があるセルに移動するとき、１対多ＲＢを設定するフローチャートであり、ここで、１対多ＲＢ情報は、特定１対多サービスの１つのセッション中にアップデートできない。
【図６】本発明の一実施形態により、移動端末があるセルに移動するとき、１対多ＲＢを設定するフローチャートであり、ここで、１対多ＲＢ情報は、特定１対多サービスの１つのセッション中にアップデートできる。
【図７】本発明の一実施形態により、端末の１対多ＲＢ情報を保存するフローチャートである。
【図１】
2007518305.tif 000002
【図２】
2007518305.tif 000003
【図３】
2007518305.tif 000004
【図４】
2007518305.tif 000005
【図５】
2007518305.tif 000006
【図６】
2007518305.tif 000007
【図７】
2007518305.tif 000008
【国際調査報告】
2007518305.tif 000009
2007518305.tif 000010